(57)【要約】【課題】厚みを薄くすることが可能である上、しわやカールが生じることのないアルバム用台紙を提供する。【解決手段】アルバム用台紙１を、ポリエチレンテレフタレートを厚さ０．２ｍｍ程度の薄板状に成形してなる基板２と、該基板２の表面及び裏面に貼着される印画紙３、３とからなるものとした。各印画紙３は、厚さ０．２ｍｍ程度のポストカード用マットペーパーを用いており、その左右幅を２５４ｍｍ程度とし、アルバム用の印画紙としている。したがって、湿気等により台紙にしわやカールが生じたりすることがなく、長期保存してもアルバム用台紙の美観を良好な状態で保持することができる。また、アルバム用台紙１を複数枚綴じてアルバムを作製した際に、アルバムを軽量化することができるとともに、アルバムの厚さを従来よりも薄くすることができ、扱いやすいアルバムとすることができる。【選択図】図１
2008179009.tif 000002
【特許請求の範囲】
【請求項１】
印画紙と印画紙との間に、疎水性を有する合成樹脂、金属、又は木製の薄板状部材からなる基板を介在してなり、印画紙及び基板からなる全体の厚みを１．０ｍｍ以下としたことを特徴とするアルバム用台紙。
【請求項２】
基板が、０．１ｍｍ以上０．３ｍｍ以下のポリエチレンテレフタレート製板部材であることを特徴とする請求項１に記載のアルバム用台紙。
【請求項３】
印画紙がマットペーパーであることを特徴とする請求項１又は２に記載のアルバム用台紙。
【発明の詳細な説明】
【技術分野】
【０００１】
本発明は、アルバム作製に用いるアルバム用台紙に関するものである。
【背景技術】
【０００２】
従来、図２に示す如く、アルバム用台紙１１としては、厚さ１．０ｍｍ〜１．５ｍｍ程度の厚紙１２を用い、該厚紙１２の表面に粘着層１３を設けたものが一般的に用いられていた（たとえば、特許文献１）。尚、粘着層１３の表面には、粘着層１３に接着される写真等を保護するための厚さ０．３ｍｍ程度の保護フィルム（図示せず）が着剥自在に取り付けられており、その全体の厚さは１．５ｍｍ程度（厚紙１２の表裏両面に粘着層１３を設けた場合には２．０ｍｍ程度）となっている。
【０００３】
【特許文献１】特開２００６−１８３１７０号公報
【発明の開示】
【発明が解決しようとする課題】
【０００４】
しかしながら、従来の厚紙１２を用いたアルバム用台紙１１では、複数のアルバム用台紙１１を綴じてアルバムを作製した場合に、アルバムが分厚くなり過ぎてしまい、扱いにくい上、デザイン性にも劣るといった課題を抱えている。また、厚紙１２の厚さ（すなわちアルバム用台紙の厚さ）を薄く成形すると、湿気等に弱くなるため、接着剤を塗布した際や長期保存した際、しわが生じたりカールしたりするという問題が生じる。
【０００５】
そこで、本発明は、上記課題に鑑みなされたものであって、厚みを薄くすることが可能である上、しわやカールが生じることのないアルバム用台紙を提供しようとするものである。
【課題を解決するための手段】
【０００６】
上記目的を達成するために、本発明のうち請求項１に記載の発明は、印画紙と印画紙との間に、疎水性を有する合成樹脂、金属、又は木製の薄板状部材からなる基板を介在してなり、印画紙及び基板からなる全体の厚みを１．０ｍｍ以下としたことを特徴とする。
請求項２に記載の発明は、請求項１に記載の発明において、基板が、０．１ｍｍ以上０．３ｍｍ以下のポリエチレンテレフタレート製板部材であることを特徴とする。
請求項３に記載の発明は、請求項１又は２に記載の発明において、印画紙がマットペーパーであることを特徴とする。
尚、マットペーパーとは、印画面がマット仕上げされたペーパーである。
【発明の効果】
【０００７】
本発明によれば、印画紙と印画紙との間に、疎水性を有する合成樹脂、金属、又は木製の薄板状部材からなる基板を介在させているため、湿気等により台紙にしわやカールが生じたりすることがなく、長期保存してもアルバム用台紙の美観を良好な状態で保持することができる。さらに、アルバム用台紙全体の厚みを１．０ｍｍ以下としているため、複数枚綴じてアルバムを作製した際に、アルバムを軽量化することができるとともに、アルバムの厚さを従来よりも薄くすることができ、扱いやすいアルバムとすることができる。
また、請求項２に記載の発明によれば、基板を、０．１ｍｍ以上０．３ｍｍ以下のポリエチレンテレフタレート製板部材としているため、印画紙に爪痕等が残らない、折れにくい等、といった効果がある。
加えて、請求項３に記載の発明によれば、印画紙がマットペーパーであるため、粘着層等を設けていた従来のアルバム用台紙と比較して、更なる薄型化を図ることができるし、アルバム用台紙の表面にラミネート処理を行ったり保護フィルムを取り付けたりする必要がなく、デザイン性にも優れている。
【発明を実施するための最良の形態】
【０００８】
以下、本発明の一実施形態となるアルバム用台紙について、図面をもとに説明する。
【０００９】
図１は、アルバム用台紙１の断面を示した説明図である。
アルバム用台紙１は、ポリエチレンテレフタレート（以下、ＰＥＴと称す）を厚さ０．２ｍｍ程度の薄板状に成形してなる基板２と、該基板２の表面及び裏面に貼着される印画紙３、３とからなる。各印画紙３は、厚さ０．２ｍｍ程度のポストカード用マットペーパー（マットペーパーの一種であって、主にポストカードに用いられるもの）を用いており、その左右幅を２５４ｍｍ程度とし、アルバム用の印画紙としている。
したがって、アルバム用台紙１は、その全体の厚さが０．６ｍｍ程度（１．０ｍｍ以下）となっており、アルバムを作製する場合には、該アルバム用台紙１を複数枚綴じればよい。
【００１０】
以上、本実施例に記載のアルバム用台紙１によれば、薄板状のＰＥＴ部材を基板２とし、該基板２の表裏両面に印画紙３、３を貼着する構成としているため、湿気等により台紙にしわやカールが生じたりすることがなく、長期保存してもアルバム用台紙の美観を良好な状態で保持することができる。
また、アルバム用台紙１を複数枚綴じてアルバムを作製した際に、アルバムを軽量化することができるとともに、アルバムの厚さを従来よりも薄くすることができ、扱いやすいアルバムとすることができる。
【００１１】
さらに、印画紙３として、ポストカード用マットペーパーを採用しているため、粘着層等を設けていた従来のアルバム用台紙と比較して、アルバム用台紙１を更に薄く形成することができるし、アルバム用台紙の表面にラミネート処理を行ったり保護フィルムを取り付けたりする必要がなく、デザイン性にも優れている。
【００１２】
なお、本発明のアルバム用台紙に係る構成は、上記実施形態に記載の態様に何ら限定されるものではなく、基板、及び印画紙の形状や素材、寸法等に係る構成を、本発明の趣旨を逸脱しない範囲で、必要に応じて適宜変更することができる。
【００１３】
たとえば、基板としては、アルミ板等といった金属板や木板、塩ビ板等の各種板部材を使用することができるし、上記実施形態に記載の如く、アルバム用台紙の全面にわたって基板を配置させるのではなく、印画紙と印画紙との間に部分的（たとえば、短冊状の基板を所定の間隔毎に複数枚配置したり、四隅及び中央部のみに基板を配置する等）に基板を介在させるように構成することも可能であるし、この場合、介在位置に応じて素材の異なる基板を用いるようにしてもよい。尚、印画紙に爪痕等が残らない、折れにくい等、最も好適な素材はＰＥＴ板である。
また、アルバム用台紙全体の厚みが１．０ｍｍ以下となるのであれば、各種部材の厚みも変更可能であり、０．１〜０．３ｍｍ程度の基板及び印画紙を用いることができる。
さらに、アルバム用台紙の左右幅も、上記実施形態に記載のものに何ら限定されることはなく、２００〜３０５ｍｍ程度であれば好適に使用することができる。
【図面の簡単な説明】
【００１４】
【図１】アルバム用台紙の断面を示した説明図である。
【図２】従来のアルバム用台紙の断面を示した説明図である。
【符号の説明】
【００１５】
１・・アルバム用台紙、２・・基板、３・・印画紙。
【図１】
2008179009.tif 000003
【図２】
2008179009.tif 000004